(57)【要約】  本発明は、曲げ機械（１４）に配置するための位置決め可能なロボットセルに関する。ロボットセル（２１）は、ロボット（２４）を受け入れるためのフレーム（２２）、ワークピース（１６）のための受取装置（３１）、並びに、ロボットセル（２１）の再配置のための位置決め装置（４１）を備える。さらに、製造装置に対するロボットセル（２１）の位置を認識するために第１センサ装置（６１）が設けられている。本発明は、曲げ機械（１４）及びそのようなロボットセル（２１）を有する生産設備、並びに、曲げ機械（１４）においてそのようなロボットセル（２１）を操作するための方法に関する。
2019535539.tif 000002
【特許請求の範囲】
【請求項１】
製造装置、特に曲げ機械（１４）又はプレスブレーキのような板金加工装置に配置するための位置決め可能なロボットセルであって、
ロボット（２４）を受け入れるフレーム（２２）と、
少なくとも１つのワークピース（１６）のための少なくとも１つの受取装置（３１）と、
前記ロボットセルを再配置するための位置決め装置（４１）と
を備え、
前記製造装置に対する前記ロボットセルの位置を検出するために、少なくとも１つの第１センサ装置（６１）が設けられていることを特徴とする、位置決め可能なロボットセル。
【請求項２】
少なくとも１つの前記第１センサ装置（６１）は、自己検出型であり、好ましくは自動自己検出型であることを特徴とする、請求項１に記載のロボットセル。
【請求項３】
少なくとも前記第１センサ装置（６１）は、少なくとも１つの第１センサを備え、
前記少なくとも１つの第１センサは、光学センサ、好ましくはレーザセンサ及び／又は音波センサ、好ましくは超音波センサ、及び／又は機械センサ及び／又は磁気センサであることを特徴とする、請求項１又は２に記載のロボットセル。
【請求項４】
少なくとも前記第１センサ装置（６１）は、少なくとも１つの追加センサを備え、
前記少なくとも１つの追加センサは、光学センサ、好ましくはレーザセンサ、及び／又は音波センサ、好ましくは超音波センサ、及び／又は機械センサ及び／又は磁気センサであることを特徴とする、請求項３に記載のロボットセル。
【請求項５】
少なくとも１つの第１センサ装置（６１）と有利に相互作用し、有利には自律再配置装置とともに、前記ロボットセル（２１）を再配置するための再配置装置（２３）が設けられていることを特徴とする、請求項１から４のいずれか１項に記載のロボットセル。
【請求項６】
前記少なくとも１つの受取装置（３１）は、前記受取装置（３１）の支え面（３２）上に交換可能に配置され得る少なくとも１つの案内要素（３４）を備え、
前記少なくとも１つの案内要素（３４）の位置は、センサ装置、有利には少なくとも１つの前記第１センサ装置（６１）によって検出可能であることを特徴とする、請求項１から５のいずれか１項に記載のロボットセル。
【請求項７】
前記ロボットセセル（２１）は、前記ロボットセル（２１）を前記製造装置に接続するための少なくとも１つの接続装置（６６）を備えることを特徴とする、請求項１から６のいずれか１項に記載のロボットセル。
【請求項８】
同時に把持された複数のワークピース（１６）を検出するために、少なくとも１つの追加センサ装置（７１）が設けられていることを特徴とする、請求項１から７のいずれか１項に記載のロボットセル。
【請求項９】
少なくとも１つのワークピースシンギュレーションユニット（８１）が設けられ、
前記少なくとも１つのワークピースシンギュレーションユニット（８１）は、
ワークピース（１６）用の少なくとも１つの第１保持装置（８２）と、
別のワークピース（１６）用の少なくとも１つの別の保持装置（８４）と
を備え、
前記少なくとも１つの第１保持装置（８２）と前記少なくとも１つの第２保持装置（８４）は、有利には、互いに対向していることを特徴とする、請求項１から８のいずれか１項に記載のロボットセル。
【請求項１０】
ワークピース（１６）又は加工されたワークピースを把持するために把持装置（７６）が設けられ、
前記把持装置（７６）は、有利には、前記前述のセンサ装置（６１）のうちの別の又は少なくとも１つと相互に作用することを特徴とする、請求項１から９のいずれか１項に記載のロボットセル。
【請求項１１】
ワークピースを取り扱うために少なくとも１つの取扱装置が設けられ、
有利には、少なくとも１つのロボット（２４）、好ましくは多軸ロボットを備え、
好ましくは少なくとも１つの好ましくは前記第１センサ装置（６１）が前記少なくとも１つの取扱装置に設けられていることを特徴とする、請求項１から１０のいずれか１項に記載のロボットセル。
【請求項１２】
製造装置、特に曲げ機械（１４）又はプレスブレーキのような板金加工装置と、
請求項１から１１のいずれか１項に記載の前記位置決め可能なロボットセルと
を有する生産設備。
【請求項１３】
製造装置、特に曲げ機械（１４）又はプレスブレーキのような板金加工装置において、請求項１から１１のいずれか１項に記載の前記位置決めロボットセルを操作する方法であって、以下のステップ：
ａ）前記製造装置において前記ロボットセル（２１）を位置決めするステップと、
ｂ）少なくとも１つの第１センサ装置（６１）を用いて、前記製造装置に対する前記ロボットセル（２１）の位置を検出するステップと
によって特徴づけられる方法。
【請求項１４】
前記ロボットセル（２１）の第１の位置の検出の後に、前記ロボットセル（２１）は、少なくとも１つの別の位置に再配置されることを特徴とする、請求項１３に記載の方法。
【請求項１５】
前記ロボットセル（２１）は、前記製造装置と通信しており、有利には前記製造装置の制御装置によって制御され、より有利には前記製造装置の操作ユニット（１５）によって制御されることを特徴とする、請求項１３又は１４に記載の方法。
【発明の詳細な説明】
【技術分野】
【０００１】
本発明は、請求項１の前提部分に係る製造装置に配置される位置決め可能なロボットセル、特に、ロボット及びロボットを受け入れるためのフレームを有する請求項１の前提部分に係る製造装置に配置される位置決め可能なロボットセル、並びに、製造装置及びそのようなロボットセルを有する請求項１２に係る生産設備に関する。さらに、本発明は、製造装置においてそのようなロボットセルを操作する請求項１３に係る方法に関する。
【背景技術】
【０００２】
製造装置、特に板金加工装置は、個々の部品を時々連続して製造するためにしばしば使用される。これらの個々の部品は、しばしば繰り返しの部品であるか又は連続した部品である。
【０００３】
例えば、曲げ機械又はプレスブレーキは、ワークピースを曲げるために使用される。特に、一連の製造プロセス中において、機械の作業（attendance）は、高価であるだけでなく、作業者（attendant）にとって非常に疲労するものでもある。
【０００４】
他の板金加工装置は、例えば、レーザ切断機械又は流体噴射切断機械である。「製造装置」という用語は、これに関連して、供給されたワークピースの加工に適した基本的にあらゆる機械と理解されるべきである。
【０００５】
ワークピースの部品は、製造装置に配置されたロボットによって自動的に製造されてもよく、それにより、一連の製造プロセスの生産コストは、ワークピースを製造装置に手動供給する場合と比較して低いということが知られている。
【０００６】
一般的に知られている解決策の欠点は、意図しない侵入を防止するためにロボットの作業区域を遮断しなければならないことである。さらに、ロボットは、製造装置と恒久的に関連付けられており、それは、例えば、生産ホールを再構築する場合に追加的な労働費がかかることを意味し、製造装置の手動操作（manual attendance）を阻害するか又は防止さえする。
【０００７】
独国特許出願公開第１０２０１１１０７６１７号明細書から、製造装置に配置するための位置決め可能なロボットセルが知られている。このロボットセルは、ロボットを受け入れるためのフレームと、少なくとも１つのワークピース用の少なくとも１つの受取装置とを備える。取扱装置としてロボットセルに配置されたロボットによって、ロボットセルの配置後、製造装置へ及び製造装置からワークピースが供給される。
【０００８】
欠点は、製造装置にロボットセルを配置した後、ロボットセル又はロボットは、製造装置に対して明確な関係で方向付けられなければならないことである。
【０００９】
欧州特許第０６３６４３５号明細書から、製造装置に配置するための位置決め可能なロボットセルが知られている。製造装置は、板金加工装置であり、具体的には、曲げ機械又はプレスブレーキである。このロボットセルは、ロボットを受け入れるためのフレームと、少なくとも１つのワークピースを受け入れるための少なくとも１つの受取装置とを備える。フレームには、ロボットセルの再配置のための位置決め装置としてホイールが設けられている。
【００１０】
製造装置の前の床には、複数のセンタリングブロックが設けられている。ロボットセルのフレームには、センタリングブロックに差し込まれるか又は引き抜かれ得る複数のセンタリングヘッドが設けられている。これにより、ロボットセルは、製造装置に対して明確な位置で方向付けられる。
【００１１】
この既知の解決策の欠点は、センタリングブロックは、床に設けられなければならず、従って、ロボットセル用にただ１つの決まった位置グリッドしか存在しないことである。
【００１２】
本発明が解決することを提案する問題は、したがって、製造装置、特に曲げ機械やプレスブレーキのような板金加工装置に配置するための位置決め可能なロボットセルであって、前述した欠点を有さず、具体的には柔軟に位置決め可能なロボットセルを創作することである。さらに、本発明が解決することを提案する問題は、製造装置、特に、曲げ機械又はプレスブレーキのような板金加工装置と、そのようなロボットセルを有する生産設備を創作すること、並びに、そのような位置決め可能なロボットセルを操作する方法を提供することである。
【００１３】
この課題は、独立請求項の特徴によって解決される。有利な改変は、図面及び従属請求項に提示される。
【００１４】
本発明によれば、製造装置に対するロボットセルの位置を検出するために、少なくとも第１センサ装置が設けられている。好ましくは、ロボットセルは、少なくとも１つのロボットと、ロボットを受け入れるためのフレームとを備える。
【００１５】
この少なくとも１つの第１センサ装置は、位置検出装置の一部であるか、又はそのような装置を構成している。位置決め可能なロボットセルを製造装置に位置決めした後は、少なくとも１つの第１センサ装置は、それに対する位置決め可能なロボットセルの位置を検出するために使用される。少なくとも１つの第１センサ装置は、有利には、制御ユニットを介して制御される。さらに、少なくとも１つの第１センサ装置は、位置決め可能なロボットセルに配置されたロボットの要素のような少なくとも１つの移動可能な要素に配置されている。この少なくとも１つの移動可能な要素を用いて、少なくとも１つの第１センサ装置は、空間で適切に移動され、所望の活動を実行できる。
【００１６】
これに関連にして、「位置決め装置」という用語は、例えば、ホイール、ローラ、レールだけでなく、パレットトラック、フォークリフトトラック、クレーン又は同種のもののような補助手段、又は、ガイド、ホック、アイレット又は同種のもののような外部の又は自律的な再配置装置の意味として受け取られる。
【００１７】
好ましくは、少なくとも第１センサ装置は、自己検出型であり、それによって、生産設備に対するロボットセルの位置の検出を単独で実行する。
【００１８】
有利には、少なくとも第１センサ装置は、自動自己検出型であるので、ロボットセルの位置決めの後、生産設備に対するロボットセルの位置の検出は、自動的に行われ、有利には、完全に係員の関与なしに行われる。
【００１９】
好ましくは、少なくとも第１センサ装置は、位置の検出及び／又は測定のための少なくとも１つの第１センサを備え、生産設備に対するロボットセルの位置の検出を容易にできる。
【００２０】
少なくとも１つの第１センサは、例えば、光学センサ、有利には、レーザセンサであり、それによって、生産設備に対するロボットセルの位置の検出は、光学検出及び／又は測定によって、容易に行われうる。
【００２１】
他の実施形態では、少なくとも１つの第１センサは、音波センサであり、有利なことには超音波センサであり、これにより、生産設備に対するロボットセルの位置の検出は、音波検出によって、又は超音波検出によって、容易に行われうる。
【００２２】
さらに他の実施形態では、少なくとも１つの第１センサは、機械センサであり、これにより、生産設備に対するロボットセルの位置の検出は、センシングのような機械検出によって、容易に行われうる。
【００２３】
さらに他の実施形態では、少なくとも１つの第１センサは、磁気センサであり、これにより、生産設備に対するロボットセルの位置の検出は、磁気検出によって、容易に行われうる。磁気センサは、例えば、永久磁石又は電磁気センサである。
【００２４】
また、少なくとも第１センサ装置は、少なくとも１つの第１センサを備え、様々な種類の測定及び／又は検出が可能になる。これは、特に、生産設備に対するロボットセルの位置の検出が、現在の状況において最も有利な種類の測定及び／又は検出によって行われる、非常に柔軟な位置決めロボットセルを作り出す。
【００２５】
有利には、少なくとも１つの第１センサは、センサによって提供された計測データ、特に数学モデルを用いてロボットセルの位置を評価するとともに製造装置に対する位置を決定する評価ユニットに関連付けられている。これにより、製造装置に対するロボットセルの特に正確な位置決めが可能になる。
【００２６】
前述の説明に関連して、位置の測定とは、少なくとも２つの位置パラメータの関連付けを意味しており、検出とは、少なくとも１つの位置パラメータの認識を意味している。
【００２７】
好ましくは、少なくとも第１センサ装置は、少なくとも１つの追加センサを備えており、少なくとも１つの追加センサは、光学センサ、好ましくはレーザセンサ、及び／又は音波センサ、好ましくは超音波センサ、及び／又は機械センサ及び／又は磁気センサである。これにより、非常に柔軟な位置決め可能なロボットセルが同様に作り出され、生産設備に対するロボットセルの位置の検出は、現在の状況で最も有利な種類の測定を用いて行われる。
【００２８】
好ましくは、位置決め装置に加えて、ロボットセルの再配置を単純にする再配置装置は、ロボットセルの再配置のために設けられる。再配置装置は、例えば、案内路、ホック、アイレット又は同種のもの、有利には、パレットトラック、フォークリフトトラック、クレーン、又は同種のもののような、外部の又は自律式の再配置装置を備える。
【００２９】
有利には、再配置装置は、少なくとも１つの第１センサ装置と相互に作用するか、又は、ロボットセルの再配置を検出する。
【００３０】
好ましくは、少なくとも１つの受取装置は、受取装置の支え面上に交換可能に配置されうる少なくとも１つの案内要素を備え、少なくとも１つの案内要素の位置は、センサ装置によって検出されてもよい。この受取装置は、曲げ加工部品のようなワークピース及び／又は加工済みワークピースに柔軟に取り付けられてもよい。センサ装置を用いた少なくとも１つの案内要素の位置の検出は、ロボットのような取扱装置がワークピースを安全に動かすことを保証する。
【００３１】
有利には、少なくとも１つの案内要素の位置は、少なくとも第１センサ装置によって検出され、その結果、追加のセンサ装置は必要なく、したがって、位置決め可能なロボットセルの製造コストを低く維持できる。
【００３２】
好ましくは、ロボットセルは、ロボットセルを製造装置に接続するための少なくとも１つの通信接続装置を備えるため、それらの間の通信が可能になる。有利には、ロボットセルと製造装置との間の通信は、無線通信及び／又はＷＬＡＮ及び／又はＧＰＳ及び／又はブルートゥース（登録商標）による。追加的に又は代替的に、ロボットセルと製造装置との間に、少なくとも１つのケーブル接続が設けられていてもよい。
【００３３】
好ましくは、同時に把持された複数のワークピースを検出するために少なくとも１つの追加のセンサ装置が設けられており、これにより、信頼性のある、有利には、自動的な連続生産を保証する。少なくとも１つの追加のセンサ装置は、取扱装置が１つよりも多いワークピースを偶発的に把持した時を認識する。そのような場合では、誤った加工を防止するためにワークピースの加工は始まらない。
【００３４】
好ましくは、少なくとも１つのワークピースシンギュレーションユニットが設けられており、これを用いて、互いにくっついたり横になったりしており、取扱装置によって把持されたワークピースは、互いに分離される。この少なくとも１つのワークピースシンギュレーションユニットは、ワークピース用の少なくとも１つの第１保持装置、並びに、別のワークピース用の少なくとも１つの別の保持装置を備え、くっついたり横になったりしているワークピースを容易に分離できる。
【００３５】
有利には、少なくとも１つの第１保持装置、及び少なくとも１つの第２保持装置は、互いに対向しているため、くっついたり横になったりしているワークピースは、特に容易に互いに分離される。
【００３６】
有利には、少なくとも１つの保持装置及び／又は少なくとも１つの第２保持装置は、例えば、空気圧式又は磁気式に設計されている。
【００３７】
好ましくは、ワークピースまたは加工済みワークピースを把持するために１つの把持装置が設けられており、これにより、加工されたワークピースの製造において容易な取り扱いを保証する。例えば、ワークピースは、製造装置によって加工され、把持装置を用いて把持され、さらなる加工のために製造装置の異なる方向で供給されてもよい。把持装置は、有利には、把持ステーションの少なくとも一部であり、把持ステーションもまたロボットセル内又はロボットセルに有利には配置される。
【００３８】
有利には、把持装置は、上述のセンサ装置の別の又は少なくとも１つと相互に作用しているので、ワークピースの種類、製造装置に対するそれらの位置、及び／又は、同時のいくつかのワークピースの複数の把持が検出され、例えば、それによって有利な連続生産が可能になる。
【００３９】
好ましくは、ワークピースの取り扱いのために少なくとも１つの取扱装置が設けられているので、コンパクトで多様化した位置決め可能なロボットセルが作り出される。
【００４０】
有利には、少なくとも１つの取扱装置は、有利には多軸ロボットである少なくとも１つのロボットを備える。
【００４１】
有利には、少なくとも１つのセンサ装置は、少なくとも１つの取扱装置に設けられており、これによりデータが容易に取得される。特に有利には、第１センサ装置は、製造装置に対するロボットセルの位置が容易に検出できるように、少なくとも１つの取扱装置に設けられている。
【００４２】
少なくとも１つのセンサ装置は、有利には取り外し可能に少なくとも１つの取り扱い装置に設けられているので、必要なデータを取得した後に少なくとも１つの取扱装置から取り外されることができ、取扱装置又は製造装置のその後の運動を阻害しない。
【００４３】
好ましくは、本発明に係る生産設備は、製造装置、特に曲げ機械又はプレスブレーキのような板金加工装置と、前述の特徴の少なくとも１つを有する位置決めロボットセルとを備える。ロボットセルは、コンピュータプログラムによって制御されてもよい。このため、コンピュータプログラムは、製造装置に対する第１センサの配置を介してロボットセルの位置を検出する。
【００４４】
コンピュータプログラムは、ロボットセルの自動位置決めに役に立つ。好ましくは、製造装置、（特定の）製造装置の選択、又はすべての製造装置のための準備段階で作成された位置決めのための規則を考慮に入れてもよい。これゆえ、制御プロセスは、一貫して、かつ特定の製造装置又は製造装置群に特化して実行されてもよい。
【００４５】
前述の特徴の少なくとも１つを有する位置決め可能なロボットセルを、製造装置、特に曲げ機械又はプレスブレーキのような板金加工装置のために又は当該製造装置において操作するための本発明に係る方法では、ロボットセルは、製造装置に配置される。その後、製造装置に対するロボットセルの位置は、少なくとも１つの第１センサ装置を用いて検出される。本方法は、好ましくは、コンピュータプログラムによって自動的に実行される。
【００４６】
それゆえ、この課題は、コンピュータプログラムセクションを有するコンピュータプログラムによって、さらに解決され、コンピュータプログラムセクションは、コンピュータプログラムがコンピュータユニット（コンピュータ、コンピュータネットワーク、ロボットセルのプロセッサなど）上で起動した時に、前述した全ての方法ステップの実行のために機械可読データ記憶媒体上に格納されている。
【００４７】
このように、ロボットセルの正確な位置は、製造装置に対して既知であり、ワークピースの製造において考慮に入れられてもよい。
【００４８】
取得されたデータを用いて、例えば、基準が決定され、取扱装置（例えばロボット）の運動は、この基準に対して生じる。取扱装置の運動は、有利には、常に同じであり、基準のみが変化する。取扱装置の基礎は、有利には、座標系の零点位置である。それゆえ、零点位置に関する位置、角度、及び／又は方向は、決定され、有利には、取扱装置、特にロボットの（グローバル）座標系に関する。
【００４９】
例えば、取扱装置上、例えばロボットアーム上に取り外し可能に配置された少なくとも１つのセンサによって、線が横断され、それらに対応する距離が計測される。この工程が２つの線に対して実行された場合、製造装置に対するロボットセルの回転が、これにより容易に決定される。
【００５０】
代替的には、対応する距離を決定するために、少なくとも２点が選択され検出される。
【００５１】
取得されたパラメータ、例えば距離パラメータに基づいて、例えば、グラフがプロットされる。
【００５２】
好ましくは、ロボットセルの第１位置を検出した後に、ロボットセルは、少なくとも１つの別の位置に再配置される。第１の計測中に、要求された製造ステップの全てが実行できるわけではない、又はこれらのステップの全てが実行できないことが認識されると、ロボットセルは、要求された製造ステップが実行されうる位置に、有利には再配置装置によって、再配置される。生産が始まるまえに、製造装置に対するロボットセルの位置を検出するために繰り返し計測が行われる。
【００５３】
好ましくは、ロボットセルは、製造装置と通信しているため、ロボットセルと製造装置とが互いに通信する。
【００５４】
有利には、ロボットセルは、製造装置の制御装置と通信している。より有利には、ロボットセルの操作は、製造装置のオペレータユニットによって起こる。
【００５５】
しかしながら、特に有利には、製造装置は、ロボットセルによって制御され、製造装置を用いたワークピースの意図しない加工を防止する。
【００５６】
本発明のさらなる利点、特徴、及び詳細は、図面を参照しながら本発明の例示的な実施形態を記載している以下の発明の詳細な説明から明らかになる。
【００５７】
参照番号のリスト、並びに、特許請求の範囲及び図面の技術的な内容は、開示の一部である。図面は、互いに関連して記載されている。同一の参照番号は、同一の構造部品を示し、異なる指数を有する参照番号は、類似のまたは機能的に一致する構造部品を示す。
【図面の簡単な説明】
【００５８】
【図１】製造装置と、本発明に係る位置決め可能なロボットセルとを有する本発明に係る生産設備の一実施形態を透視投影法で示す図。
【図２】図１の生産設備の正面図。
【図３】図１の生産設備の上面図。
【図４】本発明に係るロボットセルのロボットの詳細な斜視図。
【図５】本発明に係るロボットセルの受取装置の詳細な斜視図。
【図６】図５の受取装置の詳細な斜視図。
【図７】本発明に係るロボットセルのワークピースシンギュレーションユニットの斜視図。
【図８】本発明に係るロボットセルの位置決め装置の第１位置での側面図。
【図９】図８の位置決め装置の第２位置での側面図。
【発明を実施するための形態】
【００５９】
図１から図４に示す製造設備１１は、製造装置、ここでは曲げ機械１４と、位置決め可能なロボットセル２１とを備える。ロボットセル２１は、曲げ機械１４の前に配置され、次いで曲げ機械１４を自動的に操作（attend）する。
【００６０】
ロボットセル２１は、ロボット２４と、ロボット２４を収容するフレーム２２とを備える。ロボットセル２１は、ロボットセル２１の再配置のための位置決め装置４１を更に備える。ここで、位置決め装置４１は、４つのローラ４２を備え、４つのローラ４２のすべては、有利には、回転装置４３によってフレーム２２に回転可能に接続されている。特に図８及び図９にさらに示すように、有利には、それらのローラ４２のそれぞれに、フレーム２２又は位置決め可能なロボットセル２１のための支持装置４６が設けられている。支持装置４６は、支承要素４７と作動装置４８とを備え、作動装置４８は、支承要素４７を下げるための第１昇降機構４９と、支承要素４７を上げるための第２昇降機構５０とを有する。第１昇降機構４９を作動する場合、支承要素４７は、ベース面１８を押しつけるようになり、さらにフレーム２２が上がるので、ローラ４２は、もはやベース面１８と接触しない（図９参照）。第２昇降機構５０を作動することで、支承要素４７は、再度上昇し、ローラ４２とベース面１８との間の接触が戻るので、位置決め可能なロボットセル２１は、容易に再配置される（図８参照）。
【００６１】
ロボット、特に多軸ロボット２４は、ワークピースを取り扱うための取扱装置としてフレーム２２に設けられている。さらに、ワークピース１６及び／又は加工済みワークピースを支持するための２つの支え面３２を有する受取装置３１がフレーム２２に設けられている。
【００６２】
ロボット２４は、可動ロボットアーム２５を備え、可動ロボットアーム２５は、その自由端において、ワークピース１６又は加工済みワークピースの把持、保持、及び輸送のためのグリップ形式の操作装置２６を備える。操作装置２６は、有利には、手動クイックチェンジシステムによって固定されており、それによって部品特有の操作装置を必要に応じて容易に配置できる。
【００６３】
曲げ機械１４に対するロボットセル２１の位置を検出するための第１センサ装置６１がロボットアーム２５に取り外し可能に設けられている。第１センサ装置６１は、自己検出型であり、有利には自動自己検出型である。第１センサ装置６１は、光学センサ、ここでは、レーザセンサを備える。
【００６４】
代替的に又は追加的に、第１センサ装置６１は、音波センサ、有利には超音波センサ、及び／又は機械センサ及び／又は磁気センサを備える。
【００６５】
代替的に又は追加的に、第１センサ装置６１は、少なくとも１つの追加センサを備え、少なくとも１つの追加センサは、光学センサ、好ましくはレーザセンサ、及び／又は音波センサ、好ましくは超音波センサ、及び／又は機械センサ及び／又は磁気センサである。
【００６６】
有利には、支持装置４６の位置センサ４４は、第１センサ装置６１と相互に作用するので、例えば、曲げ機械１４の加工プロセスは、図８で示される一方の位置では始まらない。位置センサ４４は、例えば、圧力センサを備えており、圧力センサは、非作動状態では、曲げ機械１４の加工プロセスを中断し、及び／又はこの加工プロセスの開始を防止する。このようにして、曲げ機械１４での制御されていない加工プロセスが防止され、ワークピースの排出が少なくなる。
【００６７】
フレーム２２の下側では、再配置装置２３として２つの案内路が設けられている。この再配置装置２３は、例えば、自律再配置装置としてのフォークリフトトラック又はペレットトラックのフォークによって係合されることができ、ロボットセル２１を容易に再配置できる。代替的には、例えば、ベルト、ロープ、及び／又はチェーンもまたこの再配置装置２３に沿って案内されて、ロボットセル２１の再配置のための自律再配置装置のクレーンホック又は他のホックに取り付けられてもよい。
【００６８】
また代替的には、操作員（ａｔｔｅｎｄａｎｔ）による手動の再配置のためにフレーム２２にハンドルが設けられてもよい。
【００６９】
有利には、再配置装置２３の位置センサ５４は、第１センサ装置６１と相互に作用している。ロボットセル２１の再配置が実行されると、次いで製造装置又はその他の基準源に対するロボットセル２１の新しい位置は、第１センサ装置１によって取得される。位置センサ５４は、例えば、圧力センサを備え、圧力センサは、作動状態では、ロボットセル２１、特に第１センサ装置６１の動作を停止させる。これにより、再配置中に、ロボットセル２１の制御されていない動作が起こらないようになる。
【００７０】
ロボットセル２１は、接続装置６６を介して、曲げ機械１４に接続されている。ここで、接続は無線である。接続装置６６は、ロボットセル２１に位置している第１送受信装置６７と、曲げ機械１４に位置している第２送受信装置６８とを備え、これらは、有利には、曲げ機械１４でのロボットセル２１の位置決め中または位置決め後に、互いを自動的に認識し接続する。
【００７１】
ロボットセル２１は、同時に把持された複数のワークピース１６を検出するための別のセンサ装置７１を備える。この別のセンサ装置７１は、互いに対向し、間隔を開けて配置された２つのセンサ７２，７４を備える（図７参照）。有利には、２つのセンサ７２，７４は、同じ種類であり、ここでは、光学センサ、すなわちレーザセンサである。ワークピース１６がこれら２つのセンサ７２，７４の間に位置するとすぐに、各表面からセンサ７２又は７４までの距離は、両方のセンサ７２，７４によって検出される。間隔Ａから、両方のセンサ７２，７４によって検出された距離の合計を引いた差が、ワークピース１６の厚さをもたらす。ワークピース１６のこの厚さがわかるので、１つ以上のワークピース１６が把持されているときが容易に決定される。
【００７２】
１つより多いワークピース１６が同時に把持されている場合に、製造プロセスを不必要に遅らせないように、ワークピースシンギュレーションユニット８１が設けられている。
ワークピースシンギュレーションユニット８１は、ワークピース１６用の第１保持装置８２と、もう１つのワークピース１６用の別の保持装置８４とを備える。第１保持装置８２及び第２保持装置８４は、互いに向き合っている。両方の保持装置８２，８４は、吸引装置をそれぞれ備え、くっついているワークピース１６は、吸引装置によって容易に互いに分離され得る。吸引装置の代替的に又は追加的に、保持装置８２，８４の１つ又は両方は、クランプ装置を備えてもよい。
【００７３】
さらに、把持装置７６はワークピース１６又は加工済みワークピースを把持するために設けられている。ここで、把持装置７６が、必要に応じてワークピース１６又は加工済みワークピースを把持する２つのグリップ部７７を備えることで、ロボット２４は、それを異なる方向からまた把持できる。把持装置７６は、プロセスチェーンの中でワークピース１６又は加工済みワークピース用の一時的なストレージとして機能してもよい。把持装置７６は、また、有利には、別の又は前述したセンサ装置のうちの１つと相互に作用してもよい。
【００７４】
図５及び図６に詳細に示す受取装置３１は、２つの支え面３２を備える。各支え面３２は、格子状に配置された複数の穴３３を備える。さらに、受取装置３１は、複数の案内要素３４を備え、複数の案内装置３４は、支え面３２に交換可能に配置されてもよい。案内要素３４は、ワークピース１６又はワークピースのスタックが所望の方向で支え面に置かれるように配置されている。受取装置３１は、対応するワークピースが（例えば、あらかじめ定められた曲げ計画に従って）装着され、様々な形状のワークピースでもそのように配置することができる。受取装置３１上にワークピースの複数のスタックを配置することが考えられる。
【００７５】
案内要素３４の位置は、センサデバイス６１、例えば、位置センサ、例えば、距離センサによって検出されてもよい。
ロボット２４は、そのようにして得られた値に基づいて制御され、対応するワークピース１６を意図した曲げプロセスで把持できる。
【００７６】
ロボットセル２１は、曲げ機械１４に位置決めされ、支持装置４６によって固定されている。第１センサ装置６１は、あらかじめロボットアーム２５に配置されているか、又はこれからそのように配置される。第１センサ装置６１を用いて、曲げ機械１４に対するロボットセル２１の位置が取得される。ロボット２４の制御システムは、今やロボットセル２１の取得位置に適合される。
【００７７】
ロボットセル２１の位置が、意図した製造プロセスに役立つすべての点又は位置にロボット２４が到達できないように偶然なった場合、ロボットセル２１は、再配置されて、その後セルの再配置された位置は、再度取得される。有利には、ロボットセル２１は、それ自身の駆動装置を有しているので、特に有利には、自律的に再配置されてもよい。
【００７８】
ロボットセル２１と曲げ装置１４との間の通信リンクを通じて、曲げ機械１４は、ロボットセル２１によって制御される。この場合のロボットセル２１の操作（ａｔｔｅｎｄｉｎｇ）は、タッチスクリーンとして設計された曲げ機械１４のオペレータユニット１５によって行われる。したがって、位置決め可能なロボットセル２１は、それ自身のオペレータユニットを備える必要がない。
【００７９】
曲げ部分を組み立てるため、ロボット２４は、受取装置３１からワークピース１６を掴み取る。ロボット２４は、同時に複数のワークピース１６が把持されているかを確かめるために、ワークピース１６を別のセンサ装置７１に運ぶ。仮にそのような場合には、複数のワークピース１６は、ワークピースシンギュレーションユニット８１によって、互いに分離される。
【００８０】
そして、ロボット２４は、単一のワークピース１６を曲げ機械１４に運び、おそらくは曲げ機械のバックストップ（back stops）を用いて、曲げ計画に従って配置する。そして、曲げプロセスが開始する。ワークピース１６は、すべての曲げプロセスの間、ロボット２４によって保持されていてもよい。
【００８１】
曲げプロセスを完了した後、曲がったワークピースは、ロボット２４に保持されており、例えば傾斜台３６を介して受取容器３８に運ばれる。
【００８２】
代替的には、ロボット２４は、加工済みの曲がったワークピースを直接受取容器３８に配置してもよい。
【００８３】
仮に曲げ計画がさらなる曲げプロセスを更に含み、例えば、すでに実行された曲げ工程のために、ワークピースをロボット２４によって曲げ機械１４に直接供給できない場合、ロボット２４は、さらなる加工ステップに有利な方向で、このワークピースを把持装置７６に渡し、ワークピースを再び検出する。
【００８４】
ロボットセル２１は、そのように位置決めされた状態で曲げ機械１４に対向する側、及び／又は、その側に隣接する側に安全扉３９を備える。これらの安全扉３９は、ロボット２４の作業区域に直接アクセスできないように、曲げ機械１４に対して位置決めされている。さらに、ロボットセル２４の対応する側は、閉鎖されていてもよく、これは、ロボットセル２１の再配置の間、特に有利である。少なくとも、安全扉３９の一部は、透明であるので、作業区域は、外部から観察できる。有利には、ロボットセル２１は、その全周にロボットセル２１を有する。
【００８５】
位置決め可能なロボットセル２１は、移動式ロボット曲げユニットを形成し、製造装置に少ない位置決め工程によって配置されてもよい。位置決め可能なロボットセル２１を用いると、作業シフト操作中でさえ、連続して製造された部品が、自動的に又は操作（attend）なしで、それらの製造装置上で加工されるので、適用領域は、より小さな製造装置まで拡大され得る。このようにして、一方で、曲げ機械の耐用年数は、増加し、特に一連の製造部品では、生産コストが減少する。
【００８６】
本発明の特定の利点は、ただ１つではなく、以下の通りである。
【００８７】
ロボットセル２１は、曲げ機械１４の前に正確に位置決めされる必要がなく、ほぼその位置に位置決めされればよい。第１センサ装置６１を使用して、ロボットセル２１の曲げ機械１４に対する精密な位置が特定される。
【００８８】
曲げ機械１４とのインターフェイスは、例えば、２つのイーサネットケーブルに跨がる無線又は有線であり、それらのうちの一方は、データ送信に役立ち、もう一方は、安全信号の送信に役立つ。
【００８９】
曲げ機械のフットペダルのような製造装置の安全制御ユニットは、ロボットセルに直接接続されてもよく、手動操作よりも早い速度での製造装置の操作を可能にする。
【００９０】
製造装置及び位置決め可能なロボットセルのプログラミングは、完全にオフラインで行われてもよい。それらを互いに接続したとき、それらは互いに調整され、遅くともセットアップ（工具、ロボットグリップ、回路、パレット）後には、生産が開始する。数分の校正期間の後、自動生産が可能になる。
【符号の説明】
【００９１】
１１  生産装置
１４  曲げ機械
１５  操作ユニット
１６  ワークピース
１８  ベース面
２１  ロボットセル
２２  フレーム
２３  再配置装置
２４  ロボット
２５  ロボットアーム
２６  操作装置
３１  受取装置
３２  支え面
３３  ３２における穴
３４  ３１の案内要素
３６  傾斜台
３８  受取容器
３９  安全扉
４１  位置決め装置
４２  ローラ
４３  回転装置
４４  ４７の位置センサ
４６  支持装置
４７  支承要素
４８  作動装置
４９  第１昇降機構
５０  第２昇降機構
５４  ２３の位置センサ
６１  第１センサ装置（位置検出装置）
６６  接続装置
６７  第１送受信装置
６８  第２送受信装置
７１  追加のセンサ装置（２つのワークピースの認識）
７２  センサ
７４  センサ
Ａ  ７２と７４との間の空間
７６  把持装置
７７  グリップ部
８１  ワークピースシンギュレーションユニット
８２  第１保持装置
８４  第２保持装置
【図１】
2019535539.tif 000003
【図２】
2019535539.tif 000004
【図３】
2019535539.tif 000005
【図４】
2019535539.tif 000006
【図５】
2019535539.tif 000007
【図６】
2019535539.tif 000008
【図７】
2019535539.tif 000009
【図８】
2019535539.tif 000010
【図９】
2019535539.tif 000011
【手続補正書】
【提出日】平成30年8月8日(2018.8.8)
【手続補正１】
【補正対象書類名】明細書
【補正対象項目名】００１１
【補正方法】変更
【補正の内容】
【００１１】
この既知の解決策の欠点は、センタリングブロックは、床に設けられなければならず、従って、ロボットセル用にただ１つの決まった位置グリッドしか存在しないことである。欧州特許第０４６２２８６号明細書は、ロボット掴み具と成形装置の工具との間の距離を決定するセンサを開示している。
【国際調査報告】
2019535539.tif 000012
2019535539.tif 000013
2019535539.tif 000014
2019535539.tif 000015
2019535539.tif 000016
2019535539.tif 000017